(57)【要約】【課題】ユーザが方角を容易に理解することができる地図出力装置を提供する。【解決手段】地図表示装置は、装置の設置されている方角を記憶するための記憶手段を備える。地図表示装置は、記憶手段に記憶された方角に基づいて、装置を使用するユーザが見た方角を上にした地図を取得し、取得された地図を可視出力する。【選択図】図１８
2008180894.tif 000002
【特許請求の範囲】
【請求項１】
装置の設置されている方角を記憶するための記憶手段と、
前記記憶手段に記憶された方角に基づいて、ユーザにとって前記装置の設置されている方角がわかるように加工された地図情報を取得する取得手段と、
前記取得された地図情報を可視出力する出力手段とを備えた、地図出力装置。
【請求項２】
前記記憶手段はさらに、前記装置が設置されている位置の情報を記憶し、
前記出力手段は、前記装置が設置されている位置がわかるように前記地図情報を可視出力する、請求項１に記載の地図出力装置。
【請求項３】
前記取得手段は、前記記憶手段に記憶された方角に基づいて、ユーザにとって方角がわかるように地図情報を変換する変換手段を含む、請求項１または２に記載の地図出力装置。
【請求項４】
前記取得手段は、前記装置を使用するユーザが見た方角を上にした地図の情報を取得する、請求項１から３のいずれかに記載の地図出力装置。
【請求項５】
前記取得手段は、前記記憶手段に記憶された方角に基づいて、前記装置を使用するユーザが見た方角を示す記号または文字を含む地図の情報を取得する、請求項１から４のいずれかに記載の地図出力装置。
【請求項６】
前記出力手段は、表示手段と印刷手段とを備え、
前記取得手段は、前記表示手段で表示出力する場合と前記印刷手段で印刷出力する場合とで異なる形態の地図情報を取得する、請求項１から５のいずれかに記載の地図出力装置。
【請求項７】
前記表示手段では、装置の方角に応じて変換された地図を出力し、
前記印刷手段では、正規の地図情報に装置の方角情報を合成した地図を出力する、請求項６に記載の地図出力装置。
【請求項８】
前記表示手段は、前記変換がされない地図を出力することが可能であり、
前記印刷手段は、前記表示手段で前記変換がされない地図が出力されたときには、前記変換がされない地図を出力する、請求項７に記載の地図出力装置。
【請求項９】
前記取得手段は、ユーザによって実行された検索に基づいて地図情報を取得する、請求項１から８のいずれかに記載の地図出力装置。
【請求項１０】
前記装置の設置されている方角に応じた地図の出力と、正規の地図の出力とをユーザに選択させる選択キーを備えた、請求項１から９のいずれかに記載の地図出力装置。
【請求項１１】
装置の設置されている方角を記憶するための記憶手段を備えた地図出力装置の制御方法であって、
前記記憶手段に記憶された方角に基づいて、ユーザにとって前記装置の設置されている方角がわかるように加工された地図情報を取得する取得ステップと、
前記取得された地図情報を可視出力する出力ステップとを備えた、地図出力装置の制御方法。
【請求項１２】
装置の設置されている方角を記憶するための記憶手段を備えた地図出力装置の制御プログラムであって、
前記記憶手段に記憶された方角に基づいて、ユーザにとって前記装置の設置されている方角がわかるように加工された地図情報を取得する取得ステップと、
前記取得された地図情報を可視出力する出力ステップとをコンピュータに実行させる、地図出力装置の制御プログラム。
【発明の詳細な説明】
【技術分野】
【０００１】
この発明は地図出力装置、地図出力装置の制御方法、および地図出力装置の制御プログラムに関し、特にユーザにとって装置の設置されている方角がわかるように加工された地図を表示することができる地図出力装置、地図出力装置の制御方法、および地図出力装置の制御プログラムに関する。
【背景技術】
【０００２】
携帯端末において、現在地を含む地図を表示させることがある。目的対象物を上にした地図を表示することで、ユーザは移動しながら、目標までの方向を知ることができる。携帯端末で表示される地図の画像は粗く、印刷に耐えることができないことが多い。そこで、パソコンなどで再検索をすることで、高解像度の画像を得て印刷する方法がある。
【０００３】
下記特許文献１（特開２００２−１１６０４８号公報）は、現在地における地図上の方向の認識を容易にすることができる携帯用ナビゲーション装置を開示する。当該装置は、現在地と、それとは別の目的対象物とを地図上に識別可能に表示して、ユーザが実際に見ている現在地周辺と地図とを容易に関連付けできるようにする。目的対象物は、現在地を基準にして地図の上方に表示される。
【０００４】
下記特許文献２（特開２００２−３６６３８号公報）は、携帯電子機器が保持している電子メール情報や、携帯電子機器から参照した比較的低解像度の情報を指定するＵＲＬから、実際の印刷に耐えうる高解像度の地図印刷情報を取得して印刷する印刷装置を開示している。パソコン等を使ってインターネット上のサーバから検索した地図情報のＵＲＬが、電子メールにて携帯電子機器に送信される。ユーザはその携帯電子機器を印刷装置に接続してＵＲＬを読み込ませる。印刷装置は読み込んだＵＲＬを用いてインターネットに接続して、高解像度の地図情報を取得して印刷する。
【特許文献１】特開２００２−１１６０４８号公報
【特許文献２】特開２００２−３６６３８号公報
【発明の開示】
【発明が解決しようとする課題】
【０００５】
ＭＦＰ（Multi Function Peripheral）などの画像形成装置に搭載されたＷＥＢブラウザにおいて地図検索を行い、その結果を表示もしくは印刷したとき、北が上になって表示される。このため、ユーザは現在位置（ＭＦＰ）から目的地への方向が判りにくいという問題がある。
【０００６】
携帯電話などに地図を表示させた場合には、北が上になって表示させても、それを閲覧するユーザ自身が同じ方向に向けば方角を合わせることができる。しかしながら、据え置き型のＭＦＰの場合には、ＭＦＰの画面自体の向きも、それを閲覧するユーザ自体も向きを変えることは困難である。このため、ＭＦＰの大型パネルのブラウザによって地図を閲覧したとしてもユーザにとっては判り難いという課題があった。
【０００７】
また、画面で確認した地図をプリントアウトしてユーザがＭＦＰから離れた場合、画面を見ていた時と印刷物を見た時とで地図を見る方角が変わってしまい、ユーザに無用な混乱をきたしてしまうおそれがあった。
【０００８】
この発明は上記問題点を解決するためになされたものであり、ユーザが方角を容易に理解することができる地図出力装置、地図出力装置の制御方法、および地図出力装置の制御プログラムを提供することを目的としている。
【課題を解決するための手段】
【０００９】
上記目的を達成するためこの発明のある局面に従うと、地図出力装置は、装置の設置されている方角を記憶するための記憶手段と、記憶手段に記憶された方角に基づいて、ユーザにとって装置の設置されている方角がわかるように加工された地図情報を取得する取得手段と、取得された地図情報を可視出力する出力手段とを備える。
【００１０】
好ましくは記憶手段はさらに、装置が設置されている位置の情報を記憶し、出力手段は、装置が設置されている位置がわかるように地図情報を可視出力する。
【００１１】
好ましくは取得手段は、記憶手段に記憶された方角に基づいて、ユーザにとって方角がわかるように地図情報を変換する変換手段を含む。
【００１２】
好ましくは取得手段は、装置を使用するユーザが見た方角を上にした地図の情報を取得する。
【００１３】
好ましくは取得手段は、記憶手段に記憶された方角に基づいて、装置を使用するユーザが見た方角を示す記号または文字を含む地図の情報を取得する。
【００１４】
好ましくは出力手段は、表示手段と印刷手段とを備え、取得手段は、表示手段で表示出力する場合と印刷手段で印刷出力する場合とで異なる形態の地図情報を取得する。
【００１５】
好ましくは地図表示装置は、表示手段では、装置の方角に応じて変換された地図を出力し、印刷手段では、正規の地図情報に装置の方角情報を合成した地図を出力する。
【００１６】
好ましくは表示手段は、変換がされない地図を出力することが可能であり、印刷手段は、表示手段で変換がされない地図が出力されたときには、変換がされない地図を出力する。
【００１７】
好ましくは取得手段は、ユーザによって実行された検索に基づいて地図情報を取得する。
【００１８】
好ましくは地図出力装置は、装置の設置されている方角に応じた地図の出力と、正規の地図の出力とをユーザに選択させる選択キーを備える。
【００１９】
この発明の他の局面に従うと、装置の設置されている方角を記憶するための記憶手段を備えた地図出力装置の制御方法は、記憶手段に記憶された方角に基づいて、ユーザにとって装置の設置されている方角がわかるように加工された地図情報を取得する取得ステップと、取得された地図情報を可視出力する出力ステップとを備える。
【００２０】
この発明のさらに他の局面に従うと、装置の設置されている方角を記憶するための記憶手段を備えた地図出力装置の制御プログラムは、記憶手段に記憶された方角に基づいて、ユーザにとって装置の設置されている方角がわかるように加工された地図情報を取得する取得ステップと、取得された地図情報を可視出力する出力ステップとをコンピュータに実行させる。
【発明の効果】
【００２１】
これらの発明に従うと、ユーザが方角を容易に理解することができる地図出力装置、地図出力装置の制御方法、および地図出力装置の制御プログラムを提供することが可能となる。
【発明を実施するための最良の形態】
【００２２】
以下、本発明の実施の形態の１つにおけるＭＦＰについて説明する。
本実施の形態においては、あらかじめＭＦＰに当該ＭＦＰがどの方角を向いているかが設定される。地図検索結果を表示または印刷するときに、ＭＦＰの前（現在地）に立ったユーザの方向を上にした地図を示すことで、目的地がどの方向にあるかを容易にユーザに示すことができる。
【００２３】
図１は、本発明の実施の形態の１つにおける地図表示システムの構成を示す図である。
図を参照して地図表示システムは、ブラウザを備えたＭＦＰ１００と、地図データを記憶し、所望とされるデータを検索してＭＦＰ１００に送信するＷＥＢサーバ２００と、ＭＦＰとＷＥＢサーバとを繋ぐネットワーク３００とから構成される。
【００２４】
ＭＦＰ（印刷装置）１００の備えるブラウザにより、ネットワーク３００を介した地図検索が実行される。
【００２５】
なお、ここではネットワーク３００を介した地図検索を実行することとするが、ＭＦＰ内に地図データを記憶させておき、ＭＦＰ内で地図検索を行なうこととしてもよい。
【００２６】
図２は、ＭＦＰ１００のハードウェア構成を示すブロック図である。
ＭＦＰ１００は、装置全体の制御を行なうＣＰＵ２０と、ユーザからの操作入力を受付ける操作部１１と、地図その他の情報の表示を行なうディスプレイ部１２と、ユーザ認証を行なうユーザ認証部２４と、ＭＦＰで実行されるジョブを解析するジョブ解析部２５と、近距離の無線通信を行なうための無線通信制御部２６と、ネットワーク、電話回線、および無線通信のための通信インタフェース１６と、装置制御のためのプログラムや定数を記憶するＲＯＭ２１と、プログラムやジョブデータなどの一時的な記憶を行なうＲＡＭ２２と、給紙装置１８と、プリントを行なうプリンタ部１４と、プログラムやジョブデータなどを格納するハードディスク２３と、原稿のスキャンを行なうスキャナ部１３と、原稿の搬送を行なうドキュメントフィーダ１７とを備える。
【００２７】
また、ＭＦＰ１００には必要に応じて、ＭＦＰの現在位置を取得するためのＧＰＳユニット５１や、ＭＦＰの設置されている方向を検出するためのデジタルコンパス５３が接続される。
【００２８】
ブラウザのソフトウェアは、ＲＡＭ２２の記憶領域２２ａやハードディスク２３の記憶領域２３ａに記憶される。
【００２９】
図３は、図１のＷＥＢサーバ２００のハードウェア構成を示すブロック図である。
図を参照して、ＷＥＢサーバ２００は、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。なお、ＣＤ−ＲＯＭドライブに代えてＤＶＤ−ＲＯＭドライブなどを接続してもよい。
【００３０】
フレキシブルディスクドライブ６１１により、フレキシブルディスクＦに記録されたプログラムや画像などのデータを読取ることが可能であり、ＣＤ−ＲＯＭドライブ６１３により、ＣＤ−ＲＯＭ６１３ａに記録されたプログラムや画像などのデータを読取ることが可能である。
【００３１】
図４は、ＭＦＰ１００の機能構成を示すブロック図である。
ＭＦＰ１００はネットワーク３００に接続された印刷装置システムとして機能し、記憶部１０１と、表示部１０３と、操作部１０５と、印刷部１０７と、画像処理部１０９とを備える。
【００３２】
記憶部１０１には、ＭＦＰ１００の設置されている位置と設置されている方向（方角）とが記憶される。また、地図の表示方法、および印刷方法が記憶される。
【００３３】
図５は、ＭＦＰ１００の実行する地図表示処理を説明する図である。
図を参照して表示部１０３においてはブラウザにより情報入力画面が表示される。地図の検索開始がユーザから指示されると、ネットワークまたは記憶部１０１から該当する地図データの取得が行なわれる。取得された地図データは、記憶部１０１に記憶された表示形態、ＭＦＰの位置、および方角に基づいて画像処理部１０９で処理される。処理された地図データが検索結果として表示部１０３のブラウザで表示される。
【００３４】
図６は、ＭＦＰの設置されている方向を説明するための斜視図であり、図７はその平面図である。
【００３５】
ユーザＰは、操作のためにＭＦＰ１００の表示部１０３の前に立つこととなる。このときユーザＰが向いている方向をＭＦＰの設置方向とする。すなわちこの例では、南がＭＦＰの設置されている方向とされる。
【００３６】
図８は、ＭＦＰ１００の実行する地図取得処理を示すフローチャートである。
ステップＳ１０１において、管理者による現在地の設定が行なわれる。ステップＳ１０３において、管理者による表示形態の設定が行なわれる。ステップＳ１０１およびＳ１０３の処理は、通常はＭＦＰを設置するときや、位置を変えるときに行なわれる。
【００３７】
ステップＳ１０５において、ユーザからの目的地（ＭＦＰの現在位置からの経路探索を行なう目的となる地点）の設定を受付ける。ステップＳ１０７において、ＭＦＰの現在位置から目的地までの経路探索が行なわれ、ＭＦＰの現在位置と目的地の双方が含まれる縮尺の地図データが検索される。
【００３８】
ステップＳ１０９において、ブラウザ画面で検索された地図データの表示が行なわれる。
【００３９】
ステップＳ１１１において、ユーザによる印刷時の設定が行なわれ、ステップＳ１１３において印刷が開始される。
【００４０】
図９は、図８の管理者による現在地の設定処理（Ｓ１０１）の内容を示すフローチャートである。
【００４１】
ステップＳ２０１で管理者による現在地の設定を受付ける。現在地の設定方法としては、以下のいずれかの方法が用いられる。
【００４２】
（１）  管理者が現住所を入力して設定する方法。
（２）  管理者がＧＰＳユニットの得た緯度経度情報より現在地情報を取得して設定する方法（または、ＭＦＰがＧＰＳユニットから緯度経度情報を自動取得し、自動的に現在地を設定するようにしてもよい）。
【００４３】
（３）  管理者が現在地の近くの住所を検索し、地図上でポインタを移動させて現在地を設定する方法。
【００４４】
（４）  なお管理者によらず、ユーザが検索開始前に現在地を設定することとしてもよい。
【００４５】
ステップＳ２０３で管理者によるＭＦＰの設置方向（方角）の設定を受付ける。設置方向の設定方法としては、以下のいずれかの方法が用いられる。
【００４６】
（１）  管理者が実際の方角をコンパスなどで調べて入力する方法。
（２）  管理者がＭＦＰ内蔵のデジタルコンパスから方角情報を取得して設定する方法（または、ＭＦＰがデジタルコンパスから方角情報を自動取得し、自動的に設置方向を設定するようにしてもよい）。
【００４７】
（３）  管理者が地図検索により現在地に対してのＭＦＰの設置方向を地図上より特定して設定する方法。
【００４８】
（４）  なお管理者によらず、ユーザが検索開始前に方向を設定することとしてもよい。
【００４９】
図１０は、図９の設定処理においてＭＦＰの表示部１０３に表示される画面を示す図である。
【００５０】
この画面においては、管理者が現在の位置情報とＭＦＰの方角とを直接入力することとしている。「設定」キーが押下されると、設定内容が確定される。
【００５１】
図１１は、図１０の画面の変形例を示す図である。
ここでは、「自動取得」キーが表示される。「自動取得」キーが押下されることで、ＧＰＳユニットやデジタルコンパスから位置情報、方角情報が取得され、現在の位置情報およびＭＦＰの方角の入力欄に自動的に入力される。管理者は、それを修正することも可能である。「設定」キーが押下されると、設定内容が確定される。
【００５２】
なお、ネットワークを介した管理者の遠隔設定を受付けるようにしてもよい。また、ユーザが設定を行なう場合、図１０または図１１の画面が地図検索前に表示される。
【００５３】
図１２は、図８の管理者による表示形態の設定処理（Ｓ１０３）の内容を示すフローチャートである。
【００５４】
ステップＳ３０１において、表示形態を変更するかの入力を受付け、ＮＯであればステップＳ３０３で通常表示に設定し、ステップＳ３０５で表示形態を確定させる。
【００５５】
ステップＳ３０１でＹＥＳであれば、ステップＳ３０７で回転表示か矢印表示かのいずれかが選択されたかが判定される。ＮＯであればステップＳ３０３へ進む。
【００５６】
ステップＳ３０７でＹＥＳであれば、ステップＳ３０９で回転表示が選択されたかを判定する。ＹＥＳであれば、ステップＳ３１１で回転表示に設定し、ステップＳ３０５へ進む。
【００５７】
ステップＳ３０９でＮＯであれば、ステップＳ３１１で矢印表示に設定し、ステップＳ３０５へ進む。
【００５８】
図１３は、図１２の設定処理においてＭＦＰの表示部１０３に表示される画面を示す図である。
【００５９】
この画面においては、管理者が３つの表示形態の中から設定するものを選択することとしている。「設定確定」キーが押下されると、設定内容が確定される。
【００６０】
図１４は、図８の目的地の設定処理（Ｓ１０５）においてＭＦＰの表示部１０３に表示される画面を示す図である。
【００６１】
この画面においてユーザは、地図検索の対象となるキーワード、エリア、種類などを入力する。また図１４の画面において、表示形態の設定を検索前にユーザが行なうことも可能である。
【００６２】
図１５は、図８の地図の結果表示処理（Ｓ１０９）の内容を示すフローチャートである。
【００６３】
ステップＳ４０１において、表示形態のマニュアル設定を行なうかの入力を受付け、ＮＯであればステップＳ４０３で現在の表示形態の設定を反映させる。ステップＳ４０５で、表示形態に基づいて地図の検索結果を表示する。
【００６４】
ステップＳ４０１でＹＥＳであれば、ステップＳ４０７で回転表示が選択されたかを判定する。ＹＥＳであれば、ステップＳ４０９で回転表示に設定し、ステップＳ４０５へ進む。
【００６５】
ステップＳ４０７でＮＯであれば、ステップＳ４１１で矢印表示が選択されたかを判定する。ＹＥＳであれば、ステップＳ４１３で矢印表示に設定し、ステップＳ４０５へ進む。
【００６６】
ステップＳ４１１でＮＯであれば、ステップＳ４１５で通常表示に設定し、ステップＳ４０５へ進む。
【００６７】
図１６は、図１５の結果表示処理（Ｓ４０５）においてＭＦＰの表示部１０３に表示される画面を示す図である。
【００６８】
検索結果である地図データが、設定された表示形態で表示される。検索結果の表示をそのまま印刷することも可能であるが、画面下のキーを選択することで表示形態を変えて印刷を行なうこともできる。すなわち、図８のステップＳ１１１で印刷時の表示形態を設定してからその形態で印刷を行なうこともできる。
【００６９】
また、画面の表示形態を変更するための入力をユーザから受付けるようにしてもよい。
図１７は、地図の通常表示の具体例を示す図である。
【００７０】
通常表示においては、北を上にして地図が表示される。また、ＭＦＰの設置されている現在地と、入力された目的地と、現在地から目的地に至る経路とが地図上に表示される。地図の縮尺は、現在地と目的地が１画面に表示可能なものが選択される（または現在地と経路の一部のみを表示する縮尺としてもよい）。
【００７１】
図１８は、地図の回転表示の具体例を示す図である。
回転表示においては、ＭＦＰの設置された方向を上にして地図が表示される。ＭＦＰの設置されている現在地と、入力された目的地と、現在地から目的地に至る経路とが地図上に表示される。
【００７２】
ここではＭＦＰの設置された方向（すなわち、ＭＦＰの表示部を見るユーザが向いている方向）を上にして地図が表示されるため、ユーザは自分が向いている方向から目的地に向かう経路を直感的に把握しやすくなる。
【００７３】
図１９は、地図の矢印表示の具体例を示す図である。
矢印表示においては、北（あるいは他の方向でもよい）を上にして地図が表示される。また、ＭＦＰの設置された方向がＭＦＰの設置された現在地の表示の上に矢印で示される。現在地と、入力された目的地と、現在地から目的地に至る経路とが地図上に表示される。矢印として、たとえばカラーの矢印などを表示させると目立ちやすい。
【００７４】
ここではＭＦＰの設置された方向（すなわち、ＭＦＰの表示部を見るユーザが向いている方向）が矢印で表示されるため、ユーザは自分が向いている方向から目的地に向かう経路を把握しやすくなる。
【００７５】
なお、ユーザから見た方角を示す記号や文字を含む地図を出力するようにしてもよい。
図２０は、図８の印刷時の設定処理（Ｓ１１１）の内容を示すフローチャートである。
【００７６】
ステップＳ５０１において、画面上で通常表示が行なわれているかを判定し、ＮＯであればステップＳ５０３で現在の表示形態を印刷設定に反映させる。
【００７７】
ステップＳ５０１でＹＥＳであれば、ステップＳ５０５で地図の回転表示での印刷（回転印刷）が選択されたかを判定する。ＹＥＳであれば、ステップＳ５０７で回転印刷に設定する。
【００７８】
ステップＳ５０５でＮＯであれば、ステップＳ５０９で地図の矢印表示での印刷（矢印印刷）が選択されたかを判定する。ＹＥＳであれば、ステップＳ５１１で矢印印刷に設定する。
【００７９】
ステップＳ５０９でＮＯであれば、ステップＳ５１３で地図の通常表示での印刷（通常印刷）に設定する。
【００８０】
以上のように構成されたＭＦＰなどは、以下のように動作する。
あるユーザがＭＦＰのＷＥＢブラウザを使用して地図検索サイトにアクセスしたとき、またはＰＣや携帯電話などから受信した地図情報データ（地図のＵＲＬや携帯やＰＣでの目的地の検索ワードなど）で地図検索を行なうとき、通常表示では北が上になった検索結果の地図が表示される（図１７）。これに代えて、ＭＦＰの前に立ったときの方角に応じた地図を作成することで（図１８）、ＭＦＰのある現在地に対して目的地がどちらの方向であるかを容易に示すことができる。
【００８１】
このために管理者はまず、ＭＦＰの位置情報（住所やＧＰＳからの情報（緯度経度）など）と、方角情報（ユーザがＭＦＰの前に立ったときに向く方角）を設定する。これら情報は、ＧＰＳにより自動的に取得してきて住所として設定することも可能であるし、デジタルコンパスなどで自動的に取得することも可能である。位置情報と方角情報とを利用して、ＭＦＰの方角を考慮した地図を作成する。仮にＭＦＰの前にユーザが立ったときの向きが南であるとき、地図を回転させて南を上にした地図の表示（または印刷）を行なう。または、通常の地図の上に現在地にいるユーザの向きを矢印などで示した地図の表示（または印刷）を行なう。
【００８２】
なお、画面の表示と印刷とで出力する地図を変えることができるため、画面に表示する場合には装置の方角に応じて変換された地図を表示し、印刷する場合には正規の地図（北を上にした地図）に装置の方角情報を合成した地図を出力することができる。印刷された地図は、ユーザの方向に従って容易に回転させることができるため、北を上にして表示しても特に問題ないためである。
【００８３】
また画面の表示で通常表示が選択されているときには、自動的に通常印刷が設定されるようにすることで表示と同じ形態での印刷を行ない、回転表示や矢印表示が設定されている場合には、ユーザが見ていた方角を示す画像を合成して印刷することとしてもよい。
【００８４】
なお、正規の地図のデータの記憶場所は、ＭＦＰ内でもよいし、サーバ内でもよい。さらに、正規の地図のデータをユーザにとって装置の設置されている方角がわかるように加工（回転、矢印の合成など）する処理は、ＭＦＰ内で行なってもよいし、サーバ内で行なってもよい。
【００８５】
［実施の形態における効果］
通常の地図検索では北が上となった地図が表示、印刷されるため、ユーザは目的地へ向かう方角が理解し難い。本実施の形態では、現在地にあるＭＦＰの位置とユーザが向いている方角と目的地の方向とを直感的にユーザが理解しやすい。ユーザは、現在地から目的地までの方向を直感的に理解することができるため、仮に道に迷っても目的地から離れていく方向には向かわないという効果がある。
【００８６】
［その他］
本発明はＭＦＰ、街頭や店内に設置される情報表示装置、ＰＣなどの地図出力装置に対して実施することができる。また本発明は、簡単には向きや位置を変えることができない地図表示装置に対して特に有効である。
【００８７】
また、上述の実施の形態における処理は、ソフトウエアによって行なっても、ハードウエア回路を用いて行なってもよい。
【００８８】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００８９】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９０】
【図１】本発明の実施の形態の１つにおける地図表示システムの構成を示す図である。
【図２】ＭＦＰ１００のハードウェア構成を示すブロック図である。
【図３】図１のＷＥＢサーバ２００のハードウェア構成を示すブロック図である。
【図４】ＭＦＰ１００の機能構成を示すブロック図である。
【図５】ＭＦＰ１００の実行する地図表示処理を説明する図である。
【図６】ＭＦＰの設置されている方向を説明するための斜視図である。
【図７】ＭＦＰの設置されている方向を説明するための平面図である。
【図８】ＭＦＰ１００の実行する地図取得処理を示すフローチャートである。
【図９】図８の管理者による現在地の設定処理（Ｓ１０１）の内容を示すフローチャートである。
【図１０】図９の設定処理においてＭＦＰの表示部１０３に表示される画面を示す図である。
【図１１】図１０の画面の変形例を示す図である。
【図１２】図８の管理者による表示形態の設定処理（Ｓ１０３）の内容を示すフローチャートである。
【図１３】図１２の設定処理においてＭＦＰの表示部１０３に表示される画面を示す図である。
【図１４】図８の目的地の設定処理（Ｓ１０５）においてＭＦＰの表示部１０３に表示される画面を示す図である。
【図１５】図８の地図の結果表示処理（Ｓ１０９）の内容を示すフローチャートである。
【図１６】図１５の結果表示処理（Ｓ４０５）においてＭＦＰの表示部１０３に表示される画面を示す図である。
【図１７】地図の通常表示の具体例を示す図である。
【図１８】地図の回転表示の具体例を示す図である。
【図１９】地図の矢印表示の具体例を示す図である。
【図２０】図８の印刷時の設定処理（Ｓ１１１）の内容を示すフローチャートである。
【符号の説明】
【００９１】
１１  操作部、１２  ディスプレイ部、１３  スキャナ部、１４  プリンタ部、１６  通信インタフェース、１７  ドキュメントフィーダ、１８  給紙装置、２２  ＲＡＭ、２２ａ  記憶領域、２３  ハードディスク、２３ａ  記憶領域、２４  ユーザ認証部、２５  ジョブ解析部、２６  無線通信制御部、５１  ＧＰＳユニット、５３  デジタルコンパス、１０１  記憶部、１０３  表示部、１０５  操作部、１０７  印刷部、１０９  画像処理部、２００  サーバ、３００  ネットワーク、Ｐ  ユーザ。
【図１】
2008180894.tif 000003
【図２】
2008180894.tif 000004
【図３】
2008180894.tif 000005
【図４】
2008180894.tif 000006
【図５】
2008180894.tif 000007
【図６】
2008180894.tif 000008
【図７】
2008180894.tif 000009
【図８】
2008180894.tif 000010
【図９】
2008180894.tif 000011
【図１０】
2008180894.tif 000012
【図１１】
2008180894.tif 000013
【図１２】
2008180894.tif 000014
【図１３】
2008180894.tif 000015
【図１４】
2008180894.tif 000016
【図１５】
2008180894.tif 000017
【図１６】
2008180894.tif 000018
【図１７】
2008180894.tif 000019
【図１８】
2008180894.tif 000020
【図１９】
2008180894.tif 000021
【図２０】
2008180894.tif 000022